(57)【要約】【課題】使用時には洗面器を載置するのに十分な大きさを確保し、非使用時には水栓と干渉せずに該水栓の下方から退避可能な置き台を提供すること。【解決手段】浴室１２の壁面１６に固定された第１ヒンジ部材１１０によって水平方向に回動可能に支持される第１板材１００を有する第１置き台１０と、壁面１６に固定された第２ヒンジ部材１３０によって水平方向に回動可能に支持される第２板材１２０とを有する第２置き台１１と、を有し、第１板材１００及び第２板材１２０が、側面１０２と側面１２２とが合わせられた第１状態と、第１板材１００と第２板材１２０とが離間し且つそれぞれ壁面１６に当接された第２状態と、を選択可能なように配置されることで、第１置き台１０及び第２置き台１１は、使用時に洗面器Ｖを載置するのに十分な大きさの台となり、非使用時には水栓と干渉せずに該水栓の下方から退避可能となる。【選択図】図１
2010142467.tif 000002
【特許請求の範囲】
【請求項１】
水廻りに設けられる置き台であって、
上部に容器を載置可能で且つ、前記水廻りの壁部に水平方向に回動可能に支持される第１部材と、
上部に容器を載置可能で且つ、前記壁部に水平方向に回動可能に支持される第２部材と、
を有し、
前記第１部材及び前記第２部材は、前記第１部材の側面と前記第２部材の側面とが合わせられた第１状態と、前記第１部材と前記第２部材とが離間し且つ前記第１部材と前記第２部材とがそれぞれ前記壁部に当接された第２状態と、を選択可能なように配置されている置き台。
【請求項２】
前記第１状態を保持する第１保持手段を有する請求項１に記載の置き台。
【請求項３】
前記第１保持手段は、前記第１部材及び前記第２部材の何れか一方に設けられた係合凹部と、前記第１部材及び前記第２部材の何れか他方に設けられ前記係合凹部に嵌合する係合凸部と、を有する請求項２に記載の置き台。
【請求項４】
前記第１保持手段は、前記第１部材及び前記第２部材の何れか一方の下部に設けられた引掛け部と、前記第１部材及び前記第２部材の何れか他方の下部に設けられ前記引掛け部が引掛けられる被引掛け部と、を有する請求項２に記載の置き台。
【請求項５】
前記第２状態を保持する第２保持手段を有する請求項１〜請求項４の何れか１項に記載の置き台。
【請求項６】
請求項１〜５の何れか１項に記載の置き台が設けられた浴室構造。
【発明の詳細な説明】
【技術分野】
【０００１】
本発明は、容器を載置可能な置き台、及び、その置き台が設けられた浴室構造に関する。
【背景技術】
【０００２】
浴室の洗い場などには水栓が設けられている。この水栓の下方には洗面器（容器）や石鹸などを載置可能な置き台が設けられていることがある。この置き台は、浴室の壁面に取り付けられており、手前に椅子を配置し着座することで、洗面器や石鹸を使用する際に都度腰を屈める必要がなくなる。しかし、置き台には洗面器を載せるための十分な大きさが求められるため、十分な大きさを確保した場合には、置き台が浴室壁面から大きく張り出し、洗い場が狭くなるという問題がある。また、使用者（入浴者）が必ずしも置き台を使用するとは限らない。このため、引用文献１では、洗面器カウンター（洗面器置台）を使用しないときは、カウンターを上方に跳ね上げると共に、カウンターを支持する支持板を折り畳んで収納している。また、引用文献２では、洗面器置台を使用しないときは、洗面器置台を上方に跳ね上げて支持体（洗い場壁面）から洗面器置台を取外している。
【特許文献１】特開平１１−８９７３５号公報
【特許文献２】特開平１１−１１３７７８号公報
【発明の開示】
【発明が解決しようとする課題】
【０００３】
ところで、引用文献１及び引用文献２では、洗面器置台が何れも水栓の下方に配置されている。ここで、洗面器を載置するのに十分な大きさを洗面器置台が確保している場合には、上方に跳ね上げることで水栓と洗面器置台が干渉する虞がある。
【０００４】
本発明は、上記事実を考慮して、使用時には、洗面器を載置するのに十分な大きさを確保し、非使用時には、水栓と干渉せずに該水栓の下方から退避可能な置き台、及び、その置き台が設けられた浴室構造を提供することを課題とする。
【課題を解決するための手段】
【０００５】
請求項１に記載の発明は、水廻りに設けられる置き台であって、上部に容器を載置可能で且つ、前記水廻りの壁部に水平方向に回動可能に支持される第１部材と、上部に容器を載置可能で且つ、前記壁部に水平方向に回動可能に支持される第２部材と、を有し、前記第１部材及び前記第２部材は、前記第１部材の側面と前記第２部材の側面とが合わせられた第１状態と、前記第１部材と前記第２部材とが離間し且つ前記第１部材と前記第２部材とがそれぞれ前記壁部に当接された第２状態と、を選択可能なように配置されている置き台である。
【０００６】
請求項１に記載の置き台では、第１部材の側面と第２部材の側面とを合わせた第１状態（洗面器置台状態）のときには、容器を載置可能な部分の大きさ（広さ）が２倍となるため、洗面器などを載置するのに十分な大きさが確保される。また、洗面器などを載置する必要がない場合（洗面器置台として使用しない場合）には、第１部材及び第２部材を水平方向に回動させて離間させ、さらに第１部材及び第２部材をそれぞれ壁部に当接させて第２状態とすることで、第１部材及び第２部材が第１状態のときの位置からそれぞれ退避しているため、この退避した部分のスペースを有効に利用できるようになる。ここで、第１状態の第１部材及び第２部材の上方に水栓が位置する場合には、第１部材及び第２部材を第２状態の位置へと移行することで、第１部材及び第２部材が水栓の下方から退避される。また、第１部材及び第２部材を水栓の下方から退避する際には、第１部材及び第２部材をそれぞれ水平方向に回動させるため、第１部材及び第２部材が水栓と干渉することがない。さらに、第１部材及び第２部材は、第２状態でもそれぞれ上部に容器を載置することができる。
【０００７】
請求項２に記載の発明は、前記第１状態を保持する第１保持手段を有する置き台である。
【０００８】
請求項２に記載の置き台では、第１保持手段によって第１状態が保持される。これにより、第１状態の第１部材及び第２部材の上に満水の洗面器などを配置しても、第１状態が解除され難くなる。
【０００９】
請求項３に記載の発明は、前記第１保持手段は、前記第１部材及び前記第２部材の何れか一方に設けられた係合凹部と、前記第１部材及び前記第２部材の何れか他方に設けられ前記係合凹部に嵌合する係合凸部と、を有する置き台である。
【００１０】
請求項３に記載の置き台では、係合凹部に係合凸部を嵌合させることで、第１部材及び第２部材の第１状態が保持される。すなわち、第１部材及び第２部材の何れか一方に係合凹部を設け、第１部材及び第２部材の何れか他方に係合凸部を設けるという簡単な構造で第１状態が保持される。
【００１１】
請求項４に記載の発明は、前記第１保持手段は、前記第１部材及び前記第２部材の何れか一方の下部に設けられた引掛け部と、前記第１部材及び前記第２部材の何れか他方の下部に設けられ前記引掛け部が引掛けられる被引掛け部と、を有する置き台である。
【００１２】
請求項４に記載の置き台では、被引掛け部に引掛け部を引掛けることで、第１部材及び第２部材の第１状態が保持される。すなわち、第１部材及び第２部材の何れか一方の下部に引掛け部を設け、第１部材及び第２部材の何れか他方の下部に被引掛け部を設けるという簡単な構造で第１状態が保持される。
【００１３】
請求項５に記載の発明は、前記第２状態を保持する第２保持手段を有する置き台である。
【００１４】
請求項５に記載の置き台では、第２保持手段によって第２状態が保持される。これにより、第２状態の第１部材及び第２部材に複数の容器などを配置しても、第２状態が解除され難くなる。
【００１５】
請求項６に記載の発明は、請求項１〜５の何れか１項に記載の置き台が設けられた浴室構造である。
【００１６】
請求項６に記載の浴室構造では、請求項１〜請求項５の何れか１項に記載の発明と同様の効果が得られる。
【発明の効果】
【００１７】
本発明の置き台、及び、その置き台が設けられた浴室構造によれば、使用時には、洗面器を載置するのに十分な大きさを確保することができ、非使用時には、水栓と干渉せずに該水栓の下方から退避可能である。
【発明を実施するための最良の形態】
【００１８】
以下、実施形態を挙げ、本発明の実施の形態について説明する。なお、第２実施形態以下では、既に説明した構成要素と同様のものについては同じ符号を付して、その説明を省略する。
【００１９】
［第１実施形態］
まず、第１実施形態について説明する。
図１に示すように、本実施形態の置き台は、略直方体状の第１板材１００（第１部材の一例）、及び浴室１２の洗い場１４の壁面１６（壁部の一例）に固定され第１板材１００を水平方向に回動可能に支持する第１ヒンジ部材１１０からなる第１置き台１０と、略直方体状の第２板材１２０（第２部材の一例）、及び壁面１６に固定され第２板材１２０を水平方向に回動可能に支持する第２ヒンジ部材１３０からなる第２置き台１１と、によって構成されている。また、第１置き台１０と第２置き台１１が横隣に配置されている。
【００２０】
第１置き台１０及び第２置き台１１では、後述する第１状態と第２状態を選択できるように、壁面１６に対する第１ヒンジ部材１１０及び第２ヒンジ部材１３０の固定位置が設定されている。
【００２１】
そして、図３に示されるように、第１置き台１０及び第２置き台１１は、第１板材１００の側面１０２と第２板材１２０の側面１２２とを合わせた第１状態（図３に示す状態）としたときには、第１置き台１０と第２置き台１１とが一体（地続き）となり、上部に洗面器Ｖなどを載置可能な状態（洗面器置台状態）となる。
【００２２】
また、第１板材１００と第２板材１２０とをそれぞれ壁面１６に当てた第２状態（図４に示す状態）としたときには、第１置き台１０と第２置き台１１とが別々のカウンターとなり、この上部には、洗面器以外の、例えば石鹸や、ボトル（容器）などを配置することができる。なお、これらの第１置き台１０及び第２置き台１１の詳細については後述する。
【００２３】
図１に示すように、前述した浴室１２は、浴槽１８の近くに洗い場１４が設けられたユニットバスとされており、洗い場１４の壁面１６には、鏡２０と、鏡２０の下方に水栓２２が設けられ、この水栓２２は湯水を吐出する蛇口２４を備えている。また水栓２２はシャワーホース２６を備えており、このシャワーホース２６の下流端（先端）にはシャワーヘッド２８が取付けられている。シャワーヘッド２８は、シャワーヘッド２８を保持するヘッド保持部３０によって保持され、このヘッド保持部３０は、壁面１６の水栓２２よりも右斜め上方に設けられている。
【００２４】
図１及び図２に示すように、第１置き台１０及び第２置き台１１は、壁面１６の水栓２２よりも下側に配置されている。これらの第１置き台１０と第２置き台１１の床からの高さ（床面から上面までの高さ）は、使用者Ｐ（入浴者）が椅子Ｃに腰掛け、載置した洗面器Ｖの湯水を洗顔や洗体などに使い易いような高さとされている。なお、第１置き台１０と第２置き台１１は、第１状態のときにやや大きめの寸法の洗面器Ｖ（例えば直径３０ｃｍ）を置き易い寸法となるように設定されている。
【００２５】
また、第１ヒンジ部材１１０は、壁面１６に固定される一端部１１２と第１板材１００に固定される他端部１１４と、一端部１１２と他端部１１４とを回動可能にする第１回動軸部１１６と、を有している。この第１回動軸部１１６には、図５（Ａ）及び図５（Ｂ）に示すように、第１置き台１０を第１状態の位置と第２状態の位置とに位置決めできるように、位置決め機構が設けられている。具体的には、第１回動軸部１１６は、一端部１１２に固定される外筒１１６Ａと他端部１１４に固定され外筒１１６Ａの内側に挿入される内筒１１６Ｂとを有し、この内筒１１６Ｂには、嵌挿溝に挿入されたバネ１１７とこのバネ１１７によって外筒１１６Ａ側に付勢されるボール１１８とを備え、外筒１１６Ａの内周面には、ボール１１８が一部挿入される凹部が２箇所に設けられている。この凹部は、第１置き台１０が第１状態の位置（第１凹部１１９Ａ）と第２状態の位置（第２凹部１１９Ｂ）とを選択して位置決めできるように配置されている。
【００２６】
同様に、第２ヒンジ部材１３０は、壁面１６に固定される一端部１３２と第２板材１２０に固定される他端部１３４と、一端部１３２と他端部１３４とを回動可能にする第２回動軸部１３６と、を有している。この第２回動軸部１３６は、図示しないが、第１回動軸部１１６と同様に、第２置き台１１を第１状態の位置と第２状態の位置とに位置決めできるように、位置決め機構が設けられている。
【００２７】
（作用、効果）
以下、本実施形態の作用、効果について説明する。
第１置き台１０及び第２置き台１１を第１状態としたときには、図３に示すように、上部の広さが２倍となるため、洗面器Ｖなどを載置するのに十分な大きさが確保される。また、洗面器Ｖなどを載置する必要がない場合（図４では、床に洗面器Ｖを載置）には、第１置き台１０及び第２置き台１１を第２状態にする、つまり、第１板材１００及び第２板材１２０を離間させ水平方向に回動させて、さらに第１板材１００及び第２板材１２０をそれぞれ壁面１６に当接させて第２状態にすることで、第１板材１００及び第２板材１２０が第１状態のときの位置からそれぞれ退避しているため、退避した部分のスペースを有効に利用できる。また、本実施形態では、第１状態の第１板材１００及び第２板材１２０の上方に水栓が位置するため、第１板材１００及び第２板材１２０の位置を第２状態の位置へと移行することで、第１板材１００及び第２板材１２０が水栓の下方から退避される。また、第１板材１００及び第２板材１２０を水栓の下方から退避する際には、第１板材１００及び第２板材１２０をそれぞれ水平方向に回動させるため、第１板材１００及び第２板材１２０が水栓と干渉することがない。さらに、第２状態の第１板材１００及び第２板材１２０の上部にはそれぞれ石鹸や、ボトル（容器）などを載置することができる。
【００２８】
［第２実施形態］
次に、第２実施形態について説明する。図６（Ａ）、図６（Ｂ）に示すように、本実施形態の第１置き台１４０及び第２置き台１４１は引掛け部としてのフック及び被引掛け部としてのピンを備えている。
【００２９】
具体的に説明すると、第２置き台１４１の第２板材１６０には、下面に回動自在に支持されたフック１６２が設けられており、第１置き台１４０の第１板材１５０には、下面に回動自在に支持されたフック１６２を引掛けるためのピン１５２が設けられている。このフック１６２及びピン１５２は、第１置き台１４０及び第２置き台１４１が第１状態（図６（Ａ）参照）のときに第１置き台１４０及び第２置き台１４１を連結できるような位置にそれぞれ配置されている。
【００３０】
本実施形態によれば、第１置き台１４０及び第２置き台１４１を第１状態で使用する場合に、フック１６２をピン１５２に引掛けることで、第１置き台１４０及び第２置き台１４１に離間方向の力が作用してもこれらが離間するのが効果的に抑制される。また、第２状態（図６（Ｂ）参照）のときに、フック１６２が第２板材１６０の下面から飛び出ないように引掛ける図示しないストッパなどが設けられてもよい。
なお、本実施形態では、第２置き台１４１の第２板材１６０の下面にフック１６２を設け、第１置き台１４０の第１板材１５０の下面にピン１５２を設ける構成としたが、本発明はこの構成に限定される必要はなく、第１板材１５０の下面にフック１６２を設け、第２板材１６０の下面にピン１５２を設ける構成としてもよい。
【００３１】
［第３実施形態］
次に、第３実施形態について説明する。図７（Ａ）、図７（Ｂ）に示すように、本実施形態の第１置き台１７０及び第２置き台１７１は係合凸部としての突起及び係合凹部としての凹部を備えている。
【００３２】
具体的に説明すると、第１置き台１７０の第１板材１８０には側面１８２に弾性体（例えばゴムなど）からなる突起１８４が複数設けられており、第２置き台１７１の第２板材１９０の側面１９２には、突起１８４が嵌合する凹部１９４が複数設けられている。この突起１８４及び凹部１９４は、第１置き台１７０及び第２置き台１７１が第１状態（図７（Ａ）参照）のときに第１置き台１７０と第２置き台１７１とが連結されるような位置に配置されている。
【００３３】
本実施形態によれば、第１置き台１７０及び第２置き台１７１を第１状態で使用する場合に、突起１８４を凹部１９４に嵌合させることで、第１置き台１７０及び第２置き台１７１に離間方向の力が作用してもこれらが離間するのが効果的に抑制される。また、凹部１９４に突起１８４を嵌合する際に突起１８４が弾性変形するため嵌合させやすい。
なお、本実施形態では、第１置き台１７０の第１板材１８０の側面１８２に突起１８４を複数設け、第２置き台１７１の第２板材１９０の側面１９２に凹部１９４を複数設ける構成としたが、本発明はこの構成に限定される必要はなく、側面１８２に凹部１９４を複数設け、側面１９２に突起１８４を複数設ける構成としてもよく、さらに第１板材１８０の側面１８２に突起１８４と凹部１９４を交互に設け、第２板材１９０の側面１９２に凹部１９４と突起１８４を交互に設ける構成としてもよい。
【００３４】
［第４実施形態］
次に、第４実施形態について説明する。図８（Ａ）〜（Ｃ）に示すように、本実施形態の第１置き台２００及び第２置き台２０１は係合凸部としての突起及び係合凹部としての凹部を備えている。
【００３５】
具体的に説明すると、第１置き台２００の第１板材２１０には段差２１２が形成されており、この段差２１２に凹部２１４が形成されている。また、第２置き台２０１の第２板材２２０には段差２２２が形成されており、この段差２２２に凹部２１４に嵌合する凸部２２４が形成されている。この凸部２２４及び凹部２１４は第１置き台２００及び第２置き台２０１が第１状態（図８（Ａ）参照）のときには、第１置き台２００及び第２置き台２０１を連結するようになっている。
【００３６】
本実施形態によれば、第１置き台２００及び第２置き台２０１を第１状態で使用する場合に、凸部２２４を凹部２１４に嵌合させることで、第１置き台２００及び第２置き台２０１に離間方向の力が作用してもこれらが離間するのが効果的に抑制される。また、第１置き台２００及び第２置き台２０１は、図８（Ａ）に示されるように、それぞれの段差２１２及び段差２２２を上下に重ねているため、段差を重ねないものと比べて第１置き台２００及び第２置き台２０１の離間が抑制される。
【００３７】
［その他の実施形態]
上述の実施形態では、第１板材が第１ヒンジ部材１１０によって水平方向に回動可能に支持され、第２板材が第２ヒンジ部材１３０によって水平方向に回動可能に支持される構成としたが、本発明はこの構成に限定される必要はなく、図９に示されるように、第１ヒンジ部材１１０と第１板材との間に鉛直方向（水平方向と直交する方向）に第１板材を回動可能に支持する第１縦ヒンジ部材２３０を設け、第２ヒンジ部材１３０と第２板材との間に鉛直方向（水平方向と直交する方向）に第２板材を回動可能に支持する第２縦ヒンジ部材２４０を設ける構成としてもよい。このような構成とすることで、第２状態の第１板材及び第２板材をさらに、鉛直方向にそれぞれ回動（図では下方向に回動）できるため、第１置き台及び第２置き台の壁面１６からの張り出しが抑制されて、洗い場１４を広く使用することができる。
【００３８】
また、上述の実施形態では、第１板材及び第２板材は、上面が平坦な形状とされたが、本発明は、この構成に限定される必要はなく、第１板材及び第２板材の表面に滑り止め用の凹凸を設ける構成としてもよく、排水性向上用に溝などを設けてもよい。また、排水性向上のために、貫通孔や縁部に切り欠きなどを設けてもよい。
【００３９】
そして、上述の実施形態では、第１置き台及び第２置き台が水栓２２の下方に配置される構成としたが、本発明はこの構成に限定される必要はなく、第１置き台及び第２置き台は浴室１２内であれば何れの場所に設けてもよい。例えば、浴槽１８の上縁部に設けてもよい。
【００４０】
また、上述の実施形態では、本発明の置き台を浴室１２に設ける構成としているが、本発明はこの構成に限定される必要はなく、例えば、台所、洗面所などの水廻り(箇所）に設ける構成としてもよい。
【００４１】
以上、実施形態を挙げて本発明の実施の形態を説明したが、これらの実施形態は一例であり、要旨を逸脱しない範囲内で種々変更して実施できる。
また、第２実施形態以下の実施形態では、特に記載がない限り第１実施形態と同様の効果を奏する。
なお、本発明の権利範囲がこれらの実施形態に限定されないことは言うまでもない。
【図面の簡単な説明】
【００４２】
【図１】第１実施形態の置き台が浴室の洗い場に設けられていることを示す斜視図である。
【図２】第１実施形態の置き台を使用者が使用している状態を示す側面図である。
【図３】第１実施形態の置き台の第１状態を示す平面図である。
【図４】第１実施形態の置き台の第２状態を示す平面図である。
【図５】（Ａ）第１実施形態の置き台が第１状態のときの第１ヒンジ部材の回動軸と直交方向の断面を示す断面図である。  （Ｂ）第１実施形態の置き台が第２状態のときの第２ヒンジ部材の回動軸と直交方向の断面を示す断面図である。
【図６】（Ａ）第２実施形態の置き台の第１状態を示す平面図である。  （Ｂ）第２実施形態の置き台の第２状態を示す平面図である。
【図７】（Ａ）第３実施形態の置き台の第１状態を示す平面図である。  （Ｂ）第３実施形態の置き台の第２状態を示す平面図である。
【図８】（Ａ）第４実施形態の置き台の第１状態を示す平面図である。  （Ｂ）図８（Ａ）のＸ−Ｘ線断面図である。  （Ｃ）第４実施形態の置き台の第２状態を示す平面図である。
【図９】その他の実施形態の置き台を示す斜視図である。
【符号の説明】
【００４３】
１０      第１置き台
１１      第２置き台
１２      浴室
１６      壁面（壁部）
１００    第１板材（第１部材）
１０２    側面
１１０    第１ヒンジ部材
１２０    第２板材（第２部材）
１２２    側面
１３０    第２ヒンジ部材
１４０    第１置き台
１４１    第２置き台
１５０    第１板材（第１部材）
１５２    ピン（被引掛け部）
１６０    第２板材（第２部材）
１６２    フック（引掛け部）
１７０    第１置き台
１７１    第２置き台
１８０    第１板材（第１部材）
１８２    側面
１８４    突起（係合凸部）
１９０    第２板材（第２部材）
１９２    側面
１９４    凹部（係合凹部）
２００ 第１置き台
２０１ 第２置き台
２１０ 第１板材（第１部材）
２１４ 凹部（係合凸部）
２２０ 第２板材（第２部材）
２２４ 凸部（係合凹部）
Ｖ     洗面器
【図１】
2010142467.tif 000003
【図２】
2010142467.tif 000004
【図３】
2010142467.tif 000005
【図４】
2010142467.tif 000006
【図５】
2010142467.tif 000007
【図６】
2010142467.tif 000008
【図７】
2010142467.tif 000009
【図８】
2010142467.tif 000010
【図９】
2010142467.tif 000011